(57)【要約】【課題】地震時、扉が開かず、扉の内外いずれかの側に障害物が落下して立ち塞がっても、屋内から確実に脱出する。【解決手段】扉の脱出構造２は、建物３の出入口に開閉自在に設けられる引き戸５の本体に人が脱出可能な脱出口６を設け、この脱出口６に、常時ロックされ非常時開放される脱出扉８を取り付けて構成される。この脱出扉８は、脱出口６の一方の側縁に両開き２軸蝶番７を介して引き戸５側との間に空隙Ｓ１を設けて取り付けられる。脱出扉８の外周には、圧縮変形自在なゴムチューブ９を取り付け、空隙部Ｓ１を埋めるようにしている。脱出扉８は引き戸５とのロックが解除されると、両開き２軸蝶番７により建物３の内外両側のいずれにも開放されるようにしている。【選択図】図１
2010270538.tif 000002
【特許請求の範囲】
【請求項１】
建物の出入口に開閉自在に設けられる扉の本体に人が脱出可能な脱出口を設け、この脱出口に、常時ロックされ非常時開放される脱出扉を取り付けて構成される扉の脱出構造において、
脱出扉を扉本体の脱出口側部に両開き２軸蝶番を介して連結するとともに、脱出扉と扉本体との間に空隙を設け、扉本体と脱出扉とのうち少なくともいずれか一方にこの空隙を塞ぐ圧縮変形自在な填隙材を設けたことを特徴とする扉の脱出構造。
【請求項２】
扉本体と脱出扉とのうちいずれか一方に填隙材を、他方にこの填隙材に当接する戸当たり部を設けたことを特徴とする請求項１に記載の扉の脱出構造。
【請求項３】
建物の出入口に開閉自在に設けられる扉の本体に人が脱出可能な脱出口を設け、扉本体に、常時脱出口を塞いでロックされ非常時開放される脱出扉を取り付けて構成される扉の脱出構造において、
脱出扉を、扉の外側面に脱出口を覆って取り付けられ扉の外面側に開放されるとともに人が脱出可能な開口部が形成された第１の脱出扉と、この第１の脱出扉の、扉内側の面に前記開口部を覆って脱出口内に取り付けられ第１の脱出扉と異なる側に開放される第２の脱出扉とを備えて構成したことを特徴とする扉の脱出構造。
【請求項４】
扉が、蝶番により建物の内外両側のいずれか一方に開閉される開閉戸またはガイドに沿って左右に開閉される引き戸により構成されることを特徴とする請求項１ないし３のうちいずれか１に記載の扉の脱出構造。
【発明の詳細な説明】
【技術分野】
【０００１】
本発明は、地震等の災害時、室内から室外へ脱出する際の扉の脱出構造に関する。
【背景技術】
【０００２】
一般に、家屋、マンション等の建物あるいは建物内の各部屋間の出入口には、壁面と一体となったドア枠に開閉自在なドアが取り付けられている。このような建物に、地震により大きな外力が作用すると、建物に歪みが発生し、この歪みによりドア枠やドアが変形し、ドアを開くことができなくなる虞がある。このため、従来、ドア本体に緊急用脱出口を形成し、その脱出口を覆って避難用のドアを止め金具で取り付けた脱出構造が提案されている（例えば、特許文献１参照。）。また、ドア本体の開口部に施錠装置を介して非常脱出扉を設けたドアが提案されている（例えば、特許文献２参照。）。
【０００３】
特許文献１に記載されたドアは、ドア本体に人間が脱出可能な大きさの緊急用出入口を設け、屋内側から一枚板状の避難用のドアをこの緊急用出入口を覆って止め金具によりドア本体に取り付けるようにしている。また、特許文献２に記載のドアは、ドア本体に人間が脱出可能な大きさの開口部を設け、この開口部にドア本体と同一方向に開閉する非常脱出扉を施錠装置を用いて取り付けるようにしている。
【先行技術文献】
【特許文献】
【０００４】
【特許文献１】特開２００７−１７７３９９号公報
【特許文献２】特開平１０−１４８０６７号公報
【発明の概要】
【発明が解決しようとする課題】
【０００５】
しかしながら、特許文献１に記載されたドアでは、室内側からドア本体に止め金具により避難用のドアを取り付けているので、脱出時、室内側で止め金具を取り外して避難用のドアをドア本体から外さなければならない。このため、室内側でドアの前に落下物や障害物が立ち塞がった場合、止め金具を取り外すことができず、避難用のドアを外すことができないという問題がある。また、特許文献２に記載されたドアでは、室外でドアの前に落下物や障害物が立ち塞がった場合、ドア本体も非常脱出扉も外側に開けることができないという問題がある。
【０００６】
本発明は上記課題を解決するためになされたもので、非常時、扉が開かず、しかも、扉の内外いずれかの側に障害物が立ち塞がっても、屋内から確実に脱出することができる扉の脱出構造を提供することを目的とするものである。
【課題を解決するための手段】
【０００７】
本発明の請求項１に係る扉の脱出構造は、建物の出入口に開閉自在に設けられる扉の本体に人が脱出可能な脱出口を設け、この脱出口に、常時ロックされ非常時開放される脱出扉を取り付けて構成される扉の脱出構造において、脱出扉を扉本体の脱出口側部に両開き２軸蝶番を介して連結するとともに、脱出扉と扉本体との間に空隙を設け、扉本体と脱出扉とのうち少なくともいずれか一方にこの空隙を塞ぐ圧縮変形自在な填隙材を設けたことを特徴とするものである。
【０００８】
本発明の請求項１に係る扉の脱出構造では、建物の出入口に開閉自在に設けられる扉の本体に人が脱出可能な脱出口を設け、この脱出口に、常時ロックされ非常時開放される脱出扉を取り付けて構成される扉の脱出構造において、脱出扉を扉本体の脱出口側部に両開き２軸蝶番を介して連結するとともに、脱出扉と扉本体との間に空隙を設け、扉本体と脱出扉とのうち少なくともいずれか一方にこの空隙を塞ぐ圧縮変形自在な填隙材を設けたことにより、扉の内外側のいずれか一方に扉の開閉に支障となる障害物があっても、脱出扉を開閉に支障のない方向に開けることができる。このため、扉の内外側どちらかに障害物があっても確実に脱出することができる。また、脱出扉と扉本体との間の空隙は、常時、填隙材により満たされるので扉の内外遮断性能を保持することができる。さらに、脱出扉を開く際には、脱出扉と脱出口側面との間の距離が変化しても脱出扉を開く力により填隙材は圧縮変形されて、脱出扉が押し開かれる。
【０００９】
本発明の請求項２に係る扉の脱出構造は、扉本体と脱出扉とのうちいずれか一方に填隙材を、他方にこの填隙材に当接する戸当たり部を設けたことを特徴とするものである。
【００１０】
本発明の請求項２に係る扉の脱出構造では、扉本体と脱出扉とのうちいずれか一方に填隙材を、他方にこの填隙材に当接する戸当たり部を設けたことにより、常時、脱出扉は両開き２軸蝶番により扉本体に連結されるとともに填隙材が戸当たり部に当接するので、脱出扉は脱出口内で確実に保持される。脱出扉を開く際には、脱出扉を開く力により填隙材は戸当たり部に押し付けられ圧縮変形されて離脱され、脱出扉が押し開かれる。
【００１１】
本発明の請求項３に係る扉の脱出構造は、建物の出入口に開閉自在に設けられる扉の本体に人が脱出可能な脱出口を設け、扉本体に、常時脱出口を塞いでロックされ非常時開放される脱出扉を取り付けて構成される扉の脱出構造において、脱出扉を、扉の外側面に脱出口を覆って取り付けられ扉の外面側に開放されるとともに人が脱出可能な開口部が形成された第１の脱出扉と、この第１の脱出扉の、扉内側の面に前記開口部を覆って脱出口内に取り付けられ第１の脱出扉と異なる側に開放される第２の脱出扉とを備えて構成したことを特徴とするものである。
【００１２】
本発明の請求項３に係る扉の脱出構造では、建物の出入口に開閉自在に設けられる扉の本体に人が脱出可能な脱出口を設け、扉本体に、常時脱出口を塞いでロックされ非常時開放される脱出扉を取り付けて構成される扉の脱出構造において、脱出扉を、扉の外側面に脱出口を覆って取り付けられ扉の外面側に開放されるとともに人が脱出可能な開口部が形成された第１の脱出扉と、この第１の脱出扉の、扉内側の面に前記開口部を覆って脱出口内に取り付けられ第１の脱出扉と異なる側に開放される第２の脱出扉とを備えて構成したことにより、扉の外側に第１の脱出扉の開閉に支障となる障害物が立ち塞がった場合、第２の脱出扉を扉の内側に引いて開くと、第１の脱出扉に形成された開口部が現れるので、この開口部から外部に脱出することができる。また、扉の内側に第２の脱出扉の開閉に支障となる障害物が立ち塞がった場合、第１の脱出扉を扉の外側に押し開くと、扉の脱出口が現れるので、この脱出口から外部に脱出することができる。このため、扉の内外側どちらかに障害物があっても確実に脱出することができる。
【００１３】
本発明の請求項４に係る扉の脱出構造は、扉が、蝶番により建物の内外両側のいずれか一方に開閉される開閉戸またはガイドに沿って左右に開閉される引き戸により構成されることを特徴とするものである。
【００１４】
本発明の請求項４に係る扉の脱出構造では、扉が、蝶番により建物の内外両側のいずれか一方に開閉される開閉戸またはガイドに沿って左右に開閉される引き戸により構成されることにより、扉が、開閉戸または引き戸のいずれであっても適用することができ、汎用性が増す。
【発明の効果】
【００１５】
本発明の請求項１に係る扉の脱出構造は、建物の出入口に開閉自在に設けられる扉の本体に人が脱出可能な脱出口を設け、この脱出口に、常時ロックされ非常時開放される脱出扉を取り付けて構成される扉の脱出構造において、脱出扉を扉本体の脱出口側部に両開き２軸蝶番を介して連結するとともに、脱出扉と扉本体との間に空隙を設け、扉本体と脱出扉とのうち少なくともいずれか一方にこの空隙を塞ぐ圧縮変形自在な填隙材を設けたので、扉の内外側のどちらか一方に脱出扉の開閉に支障となる障害物がある場合でも、脱出扉の開く側を内外どちら側でも任意に選択し開放することができ容易に外へ脱出することができる。
【００１６】
本発明の請求項３に係る扉の脱出構造は、建物の出入口に開閉自在に設けられる扉の本体に人が脱出可能な脱出口を設け、扉本体に、常時脱出口を塞いでロックされ非常時開放される脱出扉を取り付けて構成される扉の脱出構造において、脱出扉を、扉の外側面に脱出口を覆って取り付けられ扉の外面側に開放されるとともに人が脱出可能な開口部が形成された第１の脱出扉と、この第１の脱出扉の、扉内側の面に前記開口部を覆って脱出口内に取り付けられ第１の脱出扉と異なる側に開放される第２の脱出扉とを備えて構成したので、扉の内外側のどちらか一方に脱出扉の開閉に支障となる障害物がある場合でも、脱出扉の開く側を内外どちら側でも任意に選択し開放することができ容易に外へ脱出することができる。
【図面の簡単な説明】
【００１７】
【図１】図１は、発明の第１の実施例に係る扉の脱出構造の斜視図である。（実施例１）
【図２】図２の（Ａ）ないし（Ｄ）はそれぞれ、図１の扉の脱出構造の正面図、この正面図における扉のＢ−Ｂ線に沿った縦断面図、この正面図における扉のＣ−Ｃ線に沿った横断面図および図１の脱出扉の動作を示す説明図である。
【図３】図３の（Ａ）、（Ｂ）はそれぞれ、扉本体と脱出扉とを連結する自由蝶番を示す説明図およびこの自由蝶番により扉本体と脱出扉とを連結した状態を示す要部の断面図である。
【図４】図４は、脱出扉に設けられたドアノブの説明図である。
【図５】図５の（Ａ）、（Ｂ）はそれぞれ、図１の扉の脱出構造に用いられるロック機構のロック時およびロック解除時を示す説明図である。
【図６】図６の（Ａ）、（Ｂ）はそれぞれ、発明の第２の実施例に係る扉の脱出構造の屋内側正面および屋外側背面図である。（実施例２）
【図７】図７の（Ａ）ないし（Ｃ）はそれぞれ、図６の脱出構造における通常時の状態を示す説明図、非常時に第１の脱出扉を外側に開いた状態を示す説明図および非常時に第２の脱出扉を内側に開いた状態を示す説明図である。
【図８】図８の（Ａ）、（Ｂ）はそれぞれ、図５のロック機構の第１の変形例におけるロック解除時およびロック時を示す説明図である。
【図９】図９は、図５のロック機構の第２の変形例に係るロック機構を示す説明図である。
【発明を実施するための形態】
【００１８】
非常時、扉が開かず、しかも、扉の内外いずれかの側に障害物が立ち塞がり開閉に支障が生じても、屋内から確実に脱出するという目的を、建物の出入口に開閉自在に設けられる扉の本体に人が脱出可能な脱出口を設け、この脱出口に、常時ロックされ非常時開放される脱出扉を取り付けて構成される扉の脱出構造において、脱出扉を建物の内外両側のいずれにも開放可能にしたことにより実現した。
【実施例１】
【００１９】
以下、図面に示す実施例より本発明を説明する。本発明の第１の実施例に係る扉の脱出構造２は、図２の（Ａ）〜（Ｃ）に示すように、建物３の出入口開口部に取り付けられた戸枠４内を移動して開閉される引き戸（扉）５に設けられる。この引き戸５は、スライドして開閉されるタイプであり、図１に示すように、上縁ほぞ部５Ａが戸枠４の鴨居の溝に嵌り、下面に設けられた滑車（図示せず）が戸枠４の敷居に設けられたレール（図示せず）を転動するようになっている。図１中、符号５Ｂ、５Ｃはそれぞれ、引き戸５の把手、引き戸５の鍵を示す。
【００２０】
ところで、この引き戸５には、ほぼ中央に人間が出入り可能な大きさで引き戸５と相似形の脱出口６が形成される。この脱出口６の左右一方の側縁には、自由蝶番７を介して脱出扉８が取り付けられ、脱出扉８を引き戸５の内外側（屋内または屋外側）のいずれにも開放することができるようになっている。自由蝶番７は、図３の（Ａ）に示すように、両開き２軸タイプの蝶番で、開く方向により開閉軸７Ａ、７Ｂが異なるようになっている。脱出扉８は、脱出口６の形状より小さく形成され、引き戸５との間には、空隙Ｓ１が形成される。この空隙Ｓ１は、脱出扉８が自由蝶番７により引き戸５に連結されているので、脱出扉８の開放方向が異なると、開閉軸が異なる、すなわち、開閉中心７Ａ、７Ｂが異なるので、引き戸５との干渉を避けるため設けられる。
【００２１】
脱出扉８の上下端面８Ａ、８Ｂと自由蝶番７が取り付けられていない側端面８Ｃとには、図１に示すように、圧縮変形自在なゴムチューブ（填隙材）９が空隙Ｓ１を塞いで設けられる。脱出扉８の側端面８Ｃに向き合う脱出口６の側面６Ａには、ゴムチューブ９の一部を受け入れる断面Ｖ字状に成型された合成樹脂製戸当たり１０が設けられる。このため、脱出扉８は、外力が加わらない限り、自由蝶番７と戸当たり１０とにより脱出口６内に保持されるようになっている。なお、ゴムチューブ９に代えて填隙材としてスポンジゴムを脱出扉８の上下端面８Ａ、８Ｂと側端面８Ｃとに貼着するようにしてもよい。
【００２２】
脱出扉８の側端面８Ｃ側には、埋め込み式のドアノブ１１が設けられる。このドアノブ１１は、図４に示すように、ノブ１２が内部に進退動自在に収容され、プッシュする度にノブ１２が飛び出したり内部に退くようになっている。また、脱出扉８の屋内側には、脱出扉８と引き戸５との間に、この脱出扉８を引き戸５に対してロックするロック機構１３が設けられる。ロック機構１３は、図５に示すように、引き戸５と脱出扉８とにそれぞれ向かい合って取り付けられたかんぬき金物１４、１５と、このかんぬき金物１４、１５に進退動自在に挿通されるかんぬき１６と、このかんぬき１６の一端１６Ａに長孔１７を介してピン１８により連結され、枢軸１９を中心に揺動するＬ字状レバー２０とを備えて構成される。このロック機構１３は、レバー２０の揺動端操作部２１を押し上げると、かんぬき１６が引き戸５側に進み、引き戸５側のかんぬき金物１４に差し入れられ、脱出扉８が屋内外側いずれの方向にも開くのを阻止し、レバー２０の揺動端操作部２１が押し下げられると、かんぬき１６が脱出扉８側に退き、引き戸５側のかんぬき金物１４から離脱し、脱出扉８が屋内外側いずれの方向にも開くのを許容するようになっている。
【００２３】
次に、上記第１の実施例に係る扉の脱出構造２の作用について説明する。引き戸５が建物３の出入口を閉じた状態で、地震が発生し、引き戸５や戸枠４が変形して引き戸５を開くことができなくなると、ロック機構１３のレバー２０を押し下げ、かんぬき１６を外し、ドアノブ１１のノブ１２をプッシュして飛び出させる。このとき、引き戸５の屋外側に障害物が落下して立ち塞がり、脱出扉８が外側に開くことができない場合、ノブ１２を持って屋内側に脱出扉８を引くと、脱出扉８は屋内側に開き、脱出口が確保される。このため、容易に屋外に脱出することができる。また、引き戸５の屋内側に障害物が落下して立ち塞がり、脱出扉８を内側に開くことができない場合、ノブ１２を持って屋外側に脱出扉８を押すと、脱出扉８は屋外側に開き、脱出口が確保される。このため、容易に屋外に脱出することができる。このように、本実施例に係る扉の脱出構造２では、引き戸５の内外側のどちらか一方に脱出扉８の開閉に支障となる障害物がある場合でも、脱出扉８の開く側を内外どちら側でも任意に選択し開放することができ、容易にかつ速やかに外へ脱出することができる。
【実施例２】
【００２４】
次に、本発明の第２の実施例に係る扉の脱出構造３２について説明する。本発明の第２の実施例に係る扉の脱出構造３２は、上記第１の実施例に係る扉の脱出構造２における扉が、戸枠４に沿って開閉される引き戸５であるのに対し、図６の（Ａ）、（Ｂ）に示すように、蝶番３７により戸枠３４に連結され、建物の外側に開閉される開閉戸３５である点、上記第１の実施例に係る扉の脱出構造２が、引き戸５に形成した脱出口６に空隙Ｓ１を設けて１枚板の脱出扉６を取り付けているのに対し、図７の（Ａ）〜（Ｃ）に示すように、第１の脱出扉（脱出扉）３８を開閉戸３５に形成された脱出口３６を覆って開閉戸３５の外側方向に開閉自在に設け、第２の脱出扉（脱出扉）４８を第１の脱出扉３８に形成された開口部４６を覆って第１の脱出扉３８の内側方向（屋内側方向）に開閉自在に設けた点が異なっている。
【００２５】
すなわち、本発明の第２の実施例に係る扉の脱出構造３２は、建物３３の出入口に取り付けられた戸枠３４に袖形蝶番３７を介して取り付けられた開閉戸（扉）３５に設けられる。この開閉戸３５は、袖形蝶番３７の開閉軸を中心に屋外側へ開かれるようになっている。符号３５Ａは、開閉戸３５の把手である。
【００２６】
ところで、この開閉戸３５には、ほぼ中央に人間が出入り可能な大きさで開閉戸３５と相似形の脱出口３６が形成される。開閉戸３５の外側面３５Ｂには、第１の脱出扉３８が脱出口３６を覆って蝶番３９により取り付けられる。すなわち、第１の脱出扉３８は、脱出口３６の形より大きく形成され、閉まっている状態で、開閉戸３５の外側面３５Ｂのうち脱出口３６周縁に当たり、開閉戸３５が閉じられた状態のまま開く際には、蝶番３９の開閉軸を中心に開閉戸３５の外側に向けて開かれるようになっている。
【００２７】
第１の脱出扉３８には、ほぼ中央に人間が出入り可能な大きさで第１の脱出扉３８と相似形の開口部４６が形成される。第１の脱出扉３８の内側面３８Ａには、第２の脱出扉４８が脱出口３６の内側に配されるとともに前記開口部４６を覆って蝶番４９により取り付けられる。つまり、第２の脱出扉４８は、開口部４６の形より大きく、かつ、脱出口３６の形より小さく形成され、閉まっている状態で、第１の脱出扉３８の内側面３８Ａのうち開口部４６の周縁に当たり、第１の脱出扉３８を閉じた状態のまま開く際には、蝶番４９の開閉軸を中心に開閉戸３５の内側に向けて開かれるようになっている。
【００２８】
第１の脱出扉３８の内側面３８Ａのうち脱出口３６に露出する部位には、開閉戸３５と第２の脱出扉４８との間にドアノブ５１が設けられ、第２の脱出扉４８の内側面４８Ａにも、ドアノブ５２が設けられる。第２の脱出扉４８と開閉戸３５とには、第１第２の脱出扉３８、４８を開閉戸３５に対してロックするロック機構１３が設けられる。ロック機構１３は、上記第１の実施例のロック機構１３と同じ構成を備えており、ロック時には、第１第２の脱出扉３８、４８を開閉戸３５に対してロックさせて開放を阻止するようになっている。つまり、第２の脱出扉４８が開閉戸３５に対してロックされると、第１の脱出扉３８は、蝶番４９、３９を通じて開閉戸３５にロックされる。ロック解除時には、第１第２の脱出扉３８、４８のいずれも開放可能になっている。すなわち、第２の脱出扉４８が開閉戸３５に対してロック解除されると、第２の脱出扉４８は第１の脱出扉３８と連結された蝶番４９により開閉できるようになり、第１の脱出扉３８も開閉戸３５と連結された蝶番３９により開閉できるようになっている。
【００２９】
次に、上記第２の実施例に係る扉の脱出構造３２の作用について説明する。開閉戸３５が建物３の出入口を閉じた状態で、地震が発生し、開閉戸３５や戸枠３４が変形して開閉戸３５を開くことができなくなると、ロック機構１３のレバー２０を押し下げ、かんぬき１６を外す。このとき、開閉戸３５の屋外側に障害物が立ち塞がり、第１の脱出扉３８が外側に開くことができない場合、第２の脱出扉４８のドアノブ５２を持って屋内側に引くと、第２の脱出扉４８は屋内側に開き、開口部４６が現れ、脱出口が確保される。このため、容易に屋外に脱出することができる。また、開閉戸３５の屋内側に障害物が立ち塞がり、第２の脱出扉４８を内側に開くことができない場合、第１の脱出扉３８のドアノブ５１を持って屋外側に押すと、第１の脱出扉３８は屋外側に開き、脱出口３６が現れ、脱出口が確保される。このため、容易に屋外に脱出することができる。このように、本実施例に係る扉の脱出構造３２では、開閉戸３５の内外側のどちらか一方に脱出扉３８、４８の開閉に支障となる障害物がある場合でも、第１の脱出扉３８と第２の脱出扉４８とにより開く側を内外どちら側でも任意に選択し開放することができ、速やかにかつ容易に外へ脱出することができる。
【００３０】
図８の（Ａ）、（Ｂ）および図９はそれぞれ、上記第１第２の実施例に係る扉の脱出構造２、３２のロック機構１３の第１の変形例を示すもので、図８の（Ａ）、（Ｂ）に示すロック機構５３は、脱出扉８または第２の脱出扉４８側に取り付けられた支持筒５４内でばね５５により進退動自在に保持されたロックピン５６と、このロックピン５６の作用端面５７に当接し軸５８により揺動自在に設けられたカム５９と、一端が前記軸５８に回動自在に取り付けられるとともにカム５９と連結され他端操作部６０が揺動されるとカム５９をロックピン５６に押し付ける操作杆６１とを備えて構成される。ロックピン５６は操作杆６１の操作により引き戸５または開閉戸３５に設けられた孔６２に出し入れされてロックまたはロック解除されるようになっている。
【００３１】
図９に示すロック機構７３は、上記第１第２の実施例に係る扉の脱出構造２、３２のロック機構１３の第２の変形例を示すもので、引き戸５または開閉戸３５側に設けられたＬ字状フック７４と、脱出扉８または第２の脱出扉４８側に固定されたブラケット７５にピン７６を介して揺動自在に取り付けられた操作レバー７７と、この操作レバー７７に回動自在に取り付けられフック７４に係合可能なロックリング７８とを備えて構成される。このロック機構７３は、フック７４にロックリング７８を引っ掛けて操作レバー７７を引き下げると、ロックリング７８がブラケット７５側に引っ張られてフック７４に係合してロックされるようになっている。その状態で操作レバー７７を引き上げると、ロックリング７８はフック７４との係合が解かれ、ロックが解除されるようになっている。上記第１第２の実施例に係る扉の脱出構造２、３２では、ロック機構１３を用いるようにしているがこれに限られるものではなく、前記ロック機構５３、７３を用いるようにしてもよい。
【００３２】
なお、上記第１の実施例に係る扉の脱出構造２では、引き戸５に適用した例を、また、上記第２の実施例に係る扉の脱出構造３２では、開閉戸３５に適用した例をそれぞれ示しているがこれに限られるものではなく、逆であってもよいことはいうまでもない。
【符号の説明】
【００３３】
２  扉の脱出構造
３  建物
５  引き戸（扉）
６  脱出口
８  脱出扉
【図１】
2010270538.tif 000003
【図２】
2010270538.tif 000004
【図３】
2010270538.tif 000005
【図４】
2010270538.tif 000006
【図５】
2010270538.tif 000007
【図６】
2010270538.tif 000008
【図７】
2010270538.tif 000009
【図８】
2010270538.tif 000010
【図９】
2010270538.tif 000011